(57)【要約】      （修正有）【課題】上部ストロー部材と下部ストロー部材の分離と接続を容易にさせ、ストローが洗浄可能になり、再利用ができるストローを提供する。【解決手段】上部ストロー部材１と下部ストロー部材２を含み、上部ストロー部材１と下部ストロー部材２の縦断面はいずれもC型であり、下部ストロー部材2のＣ型開口は上部ストロー部材１のＣ型開口よりも大きく、下部ストロー部材２の開口の両側に位置する内部表面は上部ストロー部材１の開口の両側に位置する外部表面と弾性的に接続され、しっかりと密着している洗浄可能なストローである。設計が合理的で、構造がコンパクトで、上部ストロー部材１と下部ストロー部材２を設置し、下部ストロー部材２の内部表面と上部ストロー部材１の外部表面を弾性的に接続させる。【選択図】図１
2020185372.tif 000002
【特許請求の範囲】
【請求項１】
上部ストロー部材と下部ストロー部材を含み、前記上部ストロー部材と下部ストロー部材の縦断面はいずれもC型であり、前記下部ストロー部材のC型開口は上部ストロー部材のC型開口よりも大きく、前記下部ストロー部材の開口の両側に位置する内部表面は上部ストロー部材の開口の両側に位置する外部表面と弾性的に接続され、密着していることを特徴とする洗浄可能なストロー。
【請求項２】
前記上部ストロー部材と下部ストロー部材はいずれもポリ塩化ビニルの材質を採用していることを特徴とする請求項1に記載の洗浄可能なストロー。
【請求項３】
前記上部ストロー部材及び下部ストロー部材の開口両側の部分には係合ストリップがそれぞれ設けられ、当該係合ストリップが弾性力で係合することを特徴とする請求項1に記載の洗浄可能なストロー。
【発明の詳細な説明】
【技術分野】
【０００１】
本発明は飲食用ストローの技術分野に関し、特に、洗浄可能なストローに関する。
【背景技術】
【０００２】
ストローは容器内の飲み物に真空をかけて飲み物を吸い上げる道具である。従来のストローの製造は主に本体の成形に必要なプラスチックを成形用金型に注入してストローを成形する。
【０００３】
従来のストローは一度成形されたものであるため、通常は使い捨てのもので、再利用できず、使用後にゴミとして廃棄され、環境汚染を起こしやすい。
【発明の開示】
【発明が解決しようとする課題】
【０００４】
従来技術の不足に対して、本発明は洗浄可能なストローを提供し、従来技術の不足を克服し、設計が合理的で、構造がコンパクトで、上部ストロー部材と下部ストロー部材を設置し、下部ストロー部材の内部表面と上部ストロー部材の外部表面を弾性的に接続させることによって、上部ストロー部材と下部ストロー部材の分離と接続を容易にさせ、ストローが洗浄可能になり、再利用する目的に達することができる。
【課題を解決するための手段】
【０００５】
本発明は以下の技術的手段によって、以上の目的を達成させる。
【０００６】
上部ストロー部材（1）と下部ストロー部材（2）を含む洗浄可能なストローであり、前記上部ストロー部材（1）と下部ストロー部材（2）の縦断面はいずれもC型であり、前記下部ストロー部材（2）のC型開口は上部ストロー部材（1）のC型開口よりも大きく、前記下部ストロー部材（2）の開口の両側に位置する内部表面は上部ストロー部材（1）の開口の両側に位置する外部表面と弾性的に接続され、しっかりと密着している。
【０００７】
好ましくは、前記上部ストロー部材（1）と下部ストロー部材（2）はいずれもポリ塩化ビニル（ＰＶＣ）の材質を採用している。
【０００８】
好ましくは、前記上部ストロー部材（1）の開口の両側に位置する外部表面に係合ストリップ（3）が設けられている。上部ストロー部材（1）の端部それ自身が係合ストリップ（3）を構成する。同様に、前記下部ストロー部材（2）の開口の両側に位置する外部表面に係合ストリップ（4）が設けられている。下部ストロー部材（2）の端部それ自身が係合ストリップ（4）を構成する。係合ストリップ（3）と係合ストリップ（4）が弾性力で係合することを特徴とする
【０００９】
本発明は洗浄可能なストローを提供し、以下の有益な効果がある。上部ストロー部材（1）と下部ストロー部材（2）を設置し、下部ストロー部材（2）の内部表面と上部ストロー部材（1）の外部表面とを連動させることによって、使用時に上部ストロー部材（1）を下部ストロー部材（2）の内部表面に係合し、上部ストロー部材（1）と下部ストロー部材（2）との間にクローズド通路を形成することができる。そして、使用後に、直接、上部ストロー部材（1）と下部ストロー部材（2）を分離して洗浄でき、再利用する目的に達することができる。
【図面の簡単な説明】
【００１０】
【図１】本発明の洗浄可能なストローの斜視図である。
【図２】本発明の洗浄可能なストローの接続状態の左側面図である。
【図３】本発明の洗浄可能なストローの分離状態の左側面図である。
【発明を実施するための形態】
【００１１】
本発明の目的、技術的手段および利点をより明確にするため、以下は本発明の実施形態の洗浄可能なストローを、図面を参照して、本発明の技術的手段をより明確に説明する。
【００１２】
図1に示すように、本発明実施形態の洗浄可能なストローは、上部ストロー部材1と下部ストロー部材2を含む。上部ストロー部材1と下部ストロー部材2の、軸方向と直交する縦断面はいずれもC型である。下部ストロー部材2のC型開口は上部ストロー部材1のC型開口よりも大きく、下部ストロー部材2の開口の両側に位置する内部表面は上部ストロー部材1の開口の両側に位置する外部表面と弾性的に接続され、しっかりと密着している。
【００１３】
上部ストロー部材1と下部ストロー部材2はいずれもポリ塩化ビニルの材質を採用している。
【００１４】
上部ストロー部材1の開口の両側に位置する外部表面には係合ストリップ3が設けられている。上部ストロー部材１の端部それ自身が係合ストリップ3を構成する。
【００１５】
下部ストロー部材2の開口の両側に位置する外部表面には係合ストリップ4が設けられている。下部ストロー部材2の端部それ自身が係合ストリップ4を構成する。係合ストリップ4は、図３の分離状態において、係合ストリップ4の曲率が係合ストリップ3の曲率よりも大きく設定されている。係合ストリップ3間の距離Ｌ１が、係合ストリップ4間の距離Ｌ２よりも大きく設定されている。
【００１６】
使用時に、上部ストロー部材1を手で摘まんで幅方向に弾性的に縮めて、距離Ｌ１を縮小させ、下部ストロー部材2の内部に押し込み、上部ストロー部材1を下部ストロー部材2の開口両側の任意位置に係合させてから、手を離すと、上部ストロー部材１が弾性的に拡開して、上部ストロー部材1が下部ストロー部材2を押すことで、距離Ｌ１と距離Ｌ２が増大するが、下部ストロー部材2に元に戻そうとする弾性力が生じ、上部ストロー部材1と下部ストロー部材2との弾性力が均衡したところで、上部ストロー部材1の係合ストリップ3と下部ストロー部材2の係合ストリップ4が係合状態となる。
【００１７】
使用後に、上部ストロー部材1を押すことによって、上部ストロー部材1の片端を下部ストロー部材2から分離させた後、上部ストロー部材1の分離された部分を分けると、下部ストロー部材2から離れ、洗浄することができる。
【００１８】
以上の実施例は、ただ本発明の技術的手段を説明するために挙げられたものだけであり、それを制限するものではない。実施例を参照して本発明を詳しく説明したが、本分野の一般技術者は各実施例に記載された技術的手段を修正したり、その技術特徴の一部を同等の方法で変更したりすることができる。これらの修正または変更があるにもかかわらず、相応する技術的手段の本質は依然として本発明の実施例に述べられた技術的手段の構想及び範囲に属する。
【符号の説明】
【００１９】
１…上部ストロー部材
２…下部ストロー部材
３…係合ストリップ
４…係合ストリップ
【図１】
2020185372.tif 000003
【図２】
2020185372.tif 000004
【図３】
2020185372.tif 000005